(57)【要約】【課題】搬送される用紙の坪量によらず、給送不良を低減させることができる用紙搬送装置を提供する【解決手段】用紙搬送装置１は、用紙Ｐを挟持する対のローラを有し、画像形成部２で画像が形成される用紙Ｐを搬送する搬送ローラ１０を備える。搬送ローラ１０は、駆動ローラ３と、駆動ローラ３で搬送される用紙Ｐの搬送方向に対する左右両側に、搬送方向に沿った曲げ部Ｐｍを形成してコルゲーションを付与するコルゲーションローラ４を備える。【選択図】    図１
2012106837.tif 000002
【特許請求の範囲】
【請求項１】
用紙を挟持する対のローラを有し、画像形成部で画像が形成される用紙を搬送する搬送ローラを備え、
前記搬送ローラは、搬送される用紙の搬送方向に対する左右両側に、搬送方向に沿った曲げ部を形成してコルゲーションを付与するコルゲーションローラを備えた
ことを特徴とする用紙搬送装置。
【請求項２】
前記コルゲーションローラに対向して配置される搬送ローラと、
前記コルゲーションローラを前記搬送ローラに対して離接する方向に移動可能に支持する支持機構と、
用紙の紙種情報が設定される情報設定部と、
前記情報設定部で設定された用紙の紙種情報に基づき、用紙の坪量の高低に応じて前記コルゲーションローラを退避させる制御部と
を備えたことを特徴とする請求項１記載の用紙搬送装置。
【請求項３】
前記コルゲーションローラに対向して配置される搬送ローラと、
前記コルゲーションローラを前記搬送ローラに対して離接する方向に移動可能に支持し、前記コルゲーションローラを前記搬送ローラに押圧する押圧支持機構と、
用紙の紙種情報が設定される情報設定部と、
前記情報設定部で設定された用紙の紙種情報に基づき、用紙の坪量の高低に応じて前記コルゲーションローラの押圧力を変更する制御部と
を備えたことを特徴とする請求項１記載の用紙搬送装置。
【請求項４】
前記コルゲーションローラに対向して配置される搬送ローラを備え、
前記コルゲーションローラは、前記搬送ローラと対向し用紙を挟持する挟持部と、対向する前記搬送ローラの側方で前記挟持部から突出するコルゲーション付与部を備え、
前記コルゲーションローラは、前記コルゲーション付与部が前記搬送ローラに近づく方向に付勢部材で付勢されて、軸方向に沿って移動可能に支持される
ことを特徴とする請求項１記載の用紙搬送装置。
【請求項５】
前記コルゲーションローラを軸方向に沿って移動可能に支持する支持機構と、
用紙の紙種情報が設定される情報設定部と、
前記情報設定部で設定された用紙の紙種情報に基づき、用紙の幅に応じて前記コルゲーションローラの軸方向の間隔を変更する制御部と
を備えたことを特徴とする請求項１記載の用紙搬送装置。
【請求項６】
前記コルゲーションローラと前記画像形成部との間の距離は、通紙可能とする最小の長さの用紙より短い距離で構成される
ことを特徴とする請求項１〜請求項５の何れか１項に記載の用紙搬送装置。
【請求項７】
請求項１から請求項６の何れか１項に記載の用紙搬送装置を備えた
ことを特徴とする画像形成装置。
【発明の詳細な説明】
【技術分野】
【０００１】
本発明は、画像形成部に用紙を搬送する用紙搬送装置に関し、特に、搬送方向に沿った用紙の湾曲を修正すると共に、用紙の剛性を向上させるものである。
【背景技術】
【０００２】
従来、転写ドラムに供給される用紙のカールを修正するカール修正装置を転写ドラムの上流に配置することにより、良好な転写状態を得る技術が開示されている（例えば、特許文献１参照）。このカール修正装置は、ローラの長さ方向に突部を有し、この突部が円周方向に波打ち状に形成された押圧ローラとそれに対向する弾性ローラとで構成されたものである。
【先行技術文献】
【特許文献】
【０００３】
【特許文献１】特開平５−２７６０８号公報
【発明の概要】
【発明が解決しようとする課題】
【０００４】
昨今では、用紙の坪量に対する要望範囲が拡大され、例えば、４０〜３５０ｇ／ｍ２までニーズが有り多様化している。従来の画像形成装置では、特に低坪量（５０ｇ／ｍ２以下）の用紙を通紙した場合、元々の用紙剛性が低いことが起因したジャムが発生する。
【０００５】
また、定着器通過後に、搬送方向に沿って用紙が湾曲することによる用紙のカールによる角折れが発生する。更に、両面印刷時の裏面通紙時の定着器への進入不良によるしわ等の画像不良や、カールや角折れが起因した搬送路内でのジャムが多発する状況になる。
【０００６】
これらを低減させるため、定着圧力や制御温度を低下させることで用紙のカールを抑えることは可能であるが、用紙へのトナーの定着性が確保できない可能性が高くなることが考えられる。
【０００７】
上述した文献１では、転写上流部の用紙搬送路内を搬送される際や、転写ドラムの曲面方向と逆方向に湾曲した用紙のカールを修正する作用を付与するか、または、用紙を転写ドラムの曲面に沿う方向に湾曲させる作用を付与することを目的としており、低坪量の用紙に同様の作用を与えた場合、転写ドラムへの巻き付きによる画像不良やジャム等の発生が懸念される。
【０００８】
本発明は、このような課題を解決するためになされたもので、搬送される用紙の坪量によらず、給送不良を低減させることができる用紙搬送装置及び画像形成装置を提供することを目的とする。
【課題を解決するための手段】
【０００９】
上述した課題を解決するため、請求項１に記載の発明は、用紙を挟持する対のローラを有し、画像形成部で画像が形成される用紙を搬送する搬送ローラを備え、搬送ローラは、搬送される用紙の搬送方向に対する左右両側に、搬送方向に沿った曲げ部を形成してコルゲーションを付与するコルゲーションローラを備えた用紙搬送装置である。
【００１０】
請求項１に記載の発明では、用紙にコルゲーションが付与されることで、搬送方向に対して交する方向に用紙が湾曲させられ、搬送方向に沿った湾曲が修正されると共に、及び搬送方向に沿った剛性が向上する。これにより、画像形成装置での給送不良及び給送不良に起因する画像形成不良が低減される。
【００１１】
請求項２に記載の発明は、コルゲーションローラに対向して配置される搬送ローラと、コルゲーションローラを搬送ローラに対して離接する方向に移動可能に支持する支持機構と、用紙の紙種情報が設定される情報設定部と、情報設定部で設定された用紙の紙種情報に基づき、用紙の坪量の高低に応じてコルゲーションローラを退避させる制御部とを備えた請求項１に記載の用紙搬送装置である。
【００１２】
請求項２に記載の発明では、搬送される用紙が所定の低坪量以外の場合は、コルゲーションローラを退避させることで、用紙に画像不良となるようなスジや折れ目等がつく不具合が防止される。
【００１３】
請求項３に記載の発明は、コルゲーションローラに対向して配置される搬送ローラと、コルゲーションローラを前記搬送ローラに対して離接する方向に移動可能に支持し、コルゲーションローラを搬送ローラに押圧する押圧支持機構と、用紙の紙種情報が設定される情報設定部と、情報設定部で設定された用紙の紙種情報に基づき、用紙の坪量の高低に応じてコルゲーションローラの押圧力を変更する制御部とを備えた請求項１に記載の用紙搬送装置である。
【００１４】
請求項３に記載の発明では、例えば、低坪量の用紙では押圧力を高くし、高坪量の用紙では押圧力を低くすることで、坪量に応じて最適なコルゲーションが付与される。
【００１５】
請求項４に記載の発明は、コルゲーションローラに対向して配置される搬送ローラを備え、コルゲーションローラは、搬送ローラと対向し用紙を挟持する挟持部と、対向する搬送ローラの側方で挟持部から突出するコルゲーション付与部を備え、コルゲーションローラは、コルゲーション付与部が搬送ローラに近づく方向に付勢部材で付勢されて、軸方向に沿って移動可能に支持される請求項１に記載の用紙搬送装置である。
【００１６】
請求項４に記載の発明では、搬送される用紙の坪量に応じてコルゲーションローラが軸方向へ退避し、用紙坪量に対し適正な位置へコルゲーションローラが移動することで、画像不良となるようなスジや折れ目が付くことが防止されると共に、給送不良となるような湾曲の修正が行われる。
【００１７】
請求項５に記載の発明は、コルゲーションローラを軸方向に沿って移動可能に支持する支持機構と、用紙の紙種情報が設定される情報設定部と、情報設定部で設定された用紙の紙種情報に基づき、用紙の幅に応じてコルゲーションローラの軸方向の間隔を変更する制御部とを備えた請求項１に記載の用紙搬送装置である。
【００１８】
請求項５に記載の発明では、搬送される用紙の幅に合わせて、搬送方向に沿った左右両側に搬送方向に沿った曲げ部が形成され、用紙の中央付近において画像不良となるようなスジや折れ目が付くことが防止されると共に、給送不良となるような湾曲の修正が行われる。
【００１９】
請求項６に記載の発明は、コルゲーションローラと画像形成部との間の距離は、通紙可能とする最小の長さの用紙より短い距離で構成される請求項１から請求項５の何れか１項に記載の用紙搬送装置である。
【００２０】
請求項６に記載の発明では、先端が画像形成部に到達した用紙の後端は、コルゲーションローラによりコルゲーションが付与される状態が保持され、用紙の剛性が保たれるとともに、給送不良となるような湾曲が修正される。
【００２１】
請求項７に記載の発明は、請求項１から請求項６の何れか１項に記載の用紙搬送装置を備えた画像形成装置であり、用紙の給送不良及び給送不良に起因した画像形成不良が防止される。
【発明の効果】
【００２２】
本発明によれば、搬送方向に沿った湾曲が修正されると共に、搬送方向に沿った剛性を向上させた用紙が画像形成部に給紙されることで、給送不良及び給送不良に起因する画像形成不良を低減することができる。
【図面の簡単な説明】
【００２３】
【図１】本実施の形態の用紙搬送装置の一例を示す斜視図である。
【図２】本実施の形態の用紙搬送装置の一例を示す側面図である。
【図３】本実施の形態の用紙搬送装置が適用された画像形成装置の一例を示す構成図である。
【図４】第１の実施の形態の用紙搬送装置の一例を示す正面図である。
【図５】第２の実施の形態の用紙搬送装置の一例を示す側面図である。
【図６】第２の実施の形態の用紙搬送装置の一例を示す正面図である。
【図７】第２の実施の形態の用紙搬送装置の制御系の一例を示す機能ブロック図である。
【図８】第２の実施の形態の用紙搬送装置の動作の一例を示すフローチャートである。
【図９】第３の実施の形態の用紙搬送装置の一例を示す側面図である。
【図１０】第３の実施の形態の用紙搬送装置の一例を示す正面図である。
【図１１】第３の実施の形態の用紙搬送装置の制御系の一例を示す機能ブロック図である。
【図１２】第３の実施の形態の用紙搬送装置の動作の一例を示すフローチャートである。
【図１３】第４の実施の形態の用紙搬送装置の一例を示す正面図である。
【図１４】第５の実施の形態の用紙搬送装置の一例を示す正面図である。
【図１５】第５の実施の形態の用紙搬送装置の制御系の一例を示す機能ブロック図である。
【図１６】第５の実施の形態の用紙搬送装置の動作の一例を示すフローチャートである。
【発明を実施するための形態】
【００２４】
以下、図面を参照して、本発明の用紙搬送装置及び画像形成装置の実施の形態について説明する。
【００２５】
＜本実施の形態の用紙搬送装置の概要＞
図１は、本実施の形態の用紙搬送装置の一例を示す斜視図、図２は本実施の形態の用紙搬送装置の一例を示す側面図である。
【００２６】
まず、本実施の形態の用紙搬送装置１の概要について説明すると、用紙搬送装置１は、画像形成部２に用紙Ｐを搬送する搬送ローラ１０を備える。搬送ローラ１０は搬送手段の一例で、対のローラで用紙Ｐを挟持して搬送する。
【００２７】
搬送ローラ１０は、対のローラの一方、または両方に、用紙Ｐを凸状、凹状または凹凸状の波形状としてコルゲーションを付与するコルゲーションローラを備える。
【００２８】
搬送ローラ１０は、本例では、搬送ローラとして、回転駆動される駆動ローラ３と、駆動ローラ３と対向して設けられ、駆動ローラ３で搬送される用紙Ｐに従動して回転する従動ローラとして、コルゲーションローラ４を備える。
【００２９】
コルゲーションローラ４は、駆動ローラ３との間に挟持して搬送する用紙Ｐに、矢印Ｆで示す用紙Ｐの搬送方向に沿った曲げ部Ｐｍを形成することでコルゲーションを付与し、用紙搬送装置１で搬送される用紙Ｐを、搬送方向に対して交する方向に復元可能な程度に湾曲させる。
【００３０】
これにより、用紙Ｐの搬送方向Ｆに沿った湾曲に対するカールを修正すると共に、用紙Ｐの搬送方向Ｆに沿った剛性を向上させて、画像形成部２での給送不良及び給送不良に起因する画像形成不良を低減する。
【００３１】
＜本実施の形態の画像形成装置の構成例＞
図３は、本実施の形態の用紙搬送装置が適用された画像形成装置の一例を示す構成図であり、次に、本実施の形態の用紙搬送装置１が組み込まれた画像形成装置１００の構成及び動作の概要について説明する。
【００３２】
画像形成装置１００は、画像形成装置本体１００ＤＣと、画像読取装置１００ＳＣと、自動原稿送り装置１００ＤＦを備える。なお、画像形成装置１００は、大容量の給紙ユニット、及び、フィニッシャ等と称される後処理装置が接続される構成でも良い。
【００３３】
画像形成装置１００は、用紙Ｐがセットされる給紙部５と、本実施の形態の用紙搬送装置１を有し、用紙Ｐを搬送する用紙搬送部１１と、用紙搬送装置１で搬送される用紙Ｐに画像を形成する画像形成部２と、画像形成部２で形成された画像を定着させる定着部６を備える。
【００３４】
給紙部５は、複数枚の用紙Ｐが積載されて載置される複数の用紙トレイ５０が、本例では上下方向に並べて設けられる。給紙部５は、用紙トレイ５０から用紙Ｐを繰り出す分離繰り出し機構５１が、各用紙トレイ５０に設けられる。
【００３５】
用紙搬送部１１は、給紙部５で用紙トレイ５０から繰り出された用紙Ｐ、及び図示しない外部の給紙ユニットから給紙された用紙Ｐを、用紙搬送装置１で画像形成部２に搬送し、画像形成部２で画像が形成され、定着部６を通過した用紙Ｐを排紙部１２へ搬送する搬送路１３を備える。
【００３６】
また、用紙搬送部１１は、用紙Ｐの表裏を反転して排紙部１２へ搬送する反転排紙部１４と、用紙Ｐの表裏を反転して画像形成部２へ搬送する循環再給紙部１５と、用紙Ｐの搬送経路を切り換える搬送路切換部１６を備える。
【００３７】
画像形成部２は、像担持体である感光体２０と、感光体２０の表面を帯電する帯電部２１と、感光体２０にレーザ光照射して静電潜像を形成する露光装置２２と、感光体２０の表面の静電潜像を顕像化してトナー像を形成する現像装置２３と、感光体２０の表面のトナー像を用紙Ｐに転写する転写部２４と、感光体２０のクリーニング部２５等を備える。
【００３８】
画像形成装置１００における画像形成動作の概要を説明すると、自動原稿送り装置１００ＤＦでは、原稿台上に載置された原稿ｄが給紙部により搬送され、画像読取装置１００ＳＣの光学系により原稿ｄの片面又は両面の画像が露光され、イメージセンサＣＣＤにより読み込まれる。
【００３９】
イメージセンサＣＣＤにより光電変換されたアナログ信号は、画像処理部において、アナログ処理、Ａ／Ｄ変換、シェーデインク補正、画像圧縮処理等を行った後、露光装置２２に画像信号を送る。
【００４０】
画像形成部２では、帯電、露光、現像、転写、分離、クリーニング等の処理が行われる。画像形成部２においては、感光体２０の表面が帯電部２１により帯電され、露光装置２２からのレーザ光照射により静電潜像が形成され、現像装置２３により静電潜像が顕像化されてトナー像となる。
【００４１】
次いで、用紙トレイ５０に収容された用紙Ｐが分離繰り出し機構５１で繰り出され、用紙搬送部１１で搬送される。用紙Ｐは、用紙搬送装置１でトナー像との同期がとられて搬送される。その後、用紙Ｐは、転写部２４でトナー像が転写されてから定着部６により像が定着される。
【００４２】
像の定着後の用紙Ｐは、排紙部１２により装置外に排出される。一方、クリーニング部２５により感光体２０上の転写残のトナーが除去される。なお、両面コピーの場合は、第１面に画像形成された用紙Ｐは、循環再給紙部１５に送り込まれて反転され、再び画像形成部２において第２面に画像形成後、排紙部１２により装置外に排出される。反転排紙の場合は、用紙Ｐは、搬送路切換部１６で搬送経路が切り換えられて反転排紙部１４においてスイッチバックして表裏反転された後、排紙部１２により装置外に排出される。
【００４３】
なお、以上はモノクロ画像を形成する画像形成装置であったが、カラー画像を形成する画像形成装置であっても良い。
【００４４】
＜第１の実施の形態の用紙搬送装置の構成例＞
図４は、第１の実施の形態の用紙搬送装置の一例を示す正面図で、次に、用紙搬送装置１の第１の実施の形態を示す用紙搬送装置１Ａの詳細について、各図を参照して説明する。
【００４５】
用紙搬送装置１Ａは、上述した画像形成装置１００に組み込まれ、画像形成部２で画像が形成される用紙Ｐを搬送する搬送路１７を備える。搬送路１７は、用紙Ｐの搬送方向Ｆに対して、画像形成部２の上流側に、対のローラで構成される１組の搬送ローラ１０、あるいは、用紙Ｐの搬送方向Ｆに沿って設けられる複数組の搬送ローラ１０を備える。
【００４６】
また、搬送路１７は、搬送ローラ１０で搬送される用紙Ｐをガイドするガイド部材１８を備える。ガイド部材１８は、１対のガイド板が、コルゲーションが付与されて湾曲した用紙Ｐが通過可能な間隔で対向し、コルゲーションが付与された用紙Ｐを搬送する際の搬送不良の発生を防ぐ。
【００４７】
用紙搬送装置１Ａは、搬送路１７に複数組の搬送ローラ１０を備える構成では、画像形成部２の一番近くに配置される搬送ローラ１０にのみ、コルゲーションローラ４が設けられる。
【００４８】
コルゲーションローラ４が設けられた搬送ローラ１０は、ガイド部材１８で構成される搬送路１７を挟んで一方の側、本例では下側に駆動ローラ３が設けられ、他方の側、本例では上側にコルゲーションローラ４が設けられる。駆動ローラ３とコルゲーションローラ４は、１枚の用紙Ｐを挟持可能な隙間が形成可能な構成で対向する。
【００４９】
駆動ローラ３は、単数または複数のローラ体が設けられる構成で、本例では、４個の駆動ローラ体３ＬＳ、３ＬＣ、３ＲＣ、３ＲＳが設けられる。駆動ローラ３は、駆動ローラ体３ＬＳ、３ＬＣ、３ＲＣ、３ＲＳが用紙Ｐの搬送方向Ｆに直交する軸３０に取り付けられ、同軸上に配置される。駆動ローラ３は、各駆動ローラ体３ＬＳ、３ＬＣ、３ＲＣ、３ＲＳの幅、配置及び間隔等が、処理の対象とする用紙Ｐの幅に応じて決められる。
【００５０】
本例では、用紙Ｐの幅方向の内側に駆動ローラ体３ＬＣと駆動ローラ体３ＲＣが配置され、一方の外側に駆動ローラ体３ＬＳが配置され、他方の外側に駆動ローラ体３ＲＳが配置される。
【００５１】
軸３０は、図示しないギアやベルト等の駆動力伝達手段により、モータ等の駆動手段から駆動力が伝達され、軸３０に駆動力が伝達されることで、駆動ローラ体３ＬＳ、３ＬＣ、３ＲＣ、３ＲＳが回転駆動される。
【００５２】
コルゲーションローラ４は、本例では同軸上に複数のローラ体が設けられる構成で、２個の従動ローラ体４ＬＣ、４ＲＣと、２個のコルゲーションローラ体４ＬＳ、４ＲＳを備える。
【００５３】
コルゲーションローラ４は、従動ローラ体４ＬＣ、４ＲＣと、コルゲーションローラ体４ＬＳ、４ＲＳが、用紙Ｐの搬送方向Ｆに直交する軸４０に取り付けられ、同軸上に配置される。軸４０には駆動力は伝達さず、駆動ローラ３で搬送される用紙Ｐに従動して、従動ローラ体４ＬＣ、４ＲＣ及びコルゲーションローラ体４ＬＳ、４ＲＳが回転する。
【００５４】
従動ローラ体４ＬＣ、４ＲＣ及びコルゲーションローラ体４ＬＳ、４ＲＳの幅、配置及び間隔等は、駆動ローラ体３ＬＳ、３ＬＣ、３ＲＣ、３ＲＳの配置等と処理の対象とする用紙Ｐの幅に応じて決められる。
【００５５】
コルゲーションローラ４は、従動ローラ体４ＬＣが、用紙Ｐの幅方向において一方の内側に位置する駆動ローラ体３ＬＣと対向して配置され、従動ローラ体４ＲＣが、用紙Ｐの幅方向において他方の内側に位置する駆動ローラ体３ＲＣと対向して配置される。
【００５６】
また、コルゲーションローラ４は、コルゲーションローラ体４ＬＳが、用紙Ｐの幅方向において一方の外側に位置する駆動ローラ体３ＬＳと対向して配置され、コルゲーションローラ体４ＲＳが、用紙Ｐの幅方向において他方の外側に位置する駆動ローラ体３ＲＳと対向して配置される。
【００５７】
コルゲーションローラ体４ＬＳは、駆動ローラ体３ＬＳとの間に用紙Ｐを挟持する挟持部４１と、挟持部４１の外周面から突出するコルゲーション付与部４２を備える。コルゲーションローラ体４ＬＳは、挟持部４１が従動ローラ体４ＬＣ、４ＲＣと同じ直径で構成され、コルゲーション付与部４２が挟持部４１より大きな直径で構成される。
【００５８】
コルゲーションローラ体４ＬＳは、挟持部４１とコルゲーション付与部４２の外周面が同心の円形で、挟持部４１の一方の側で外周面の全周に亘ってコルゲーション付与部４２が所定の高さで突出する。
【００５９】
コルゲーションローラ体４ＬＳは、挟持部４１の幅が駆動ローラ体３ＬＳの幅と略同じ寸法で構成され、挟持部４１が駆動ローラ体３ＬＳと対向する。また、コルゲーションローラ体４ＬＳは、挟持部４１が対向する駆動ローラ体３ＬＳより外側にコルゲーション付与部４２が設けられ、コルゲーション付与部４２の外周面は駆動ローラ体３ＬＳの外周面と対向せず、駆動ローラ体３ＬＳの側方で、駆動ローラ体３ＬＳの外周面より駆動ローラ体３ＬＳの内周方向に突出する。
【００６０】
コルゲーションローラ体４ＲＳは、コルゲーションローラ体４ＬＳと同等の構成で、駆動ローラ体３ＲＳとの間に用紙Ｐを挟持する挟持部４１と、挟持部４１の外周面から突出するコルゲーション付与部４２を備える。コルゲーションローラ体４ＲＳは、挟持部４１が従動ローラ体４ＲＣ、４ＬＣと同じ直径で構成され、コルゲーション付与部４２が挟持部４１より大きな直径で構成される。
【００６１】
コルゲーションローラ体４ＲＳは、挟持部４１とコルゲーション付与部４２の外周面が同心の円形で、挟持部４１の一方の側で外周面の全周に亘ってコルゲーション付与部４２が所定の高さで突出する。
【００６２】
コルゲーションローラ体４ＲＳは、挟持部４１の幅が駆動ローラ体３ＲＳの幅と略同じ寸法で構成され、挟持部４１が駆動ローラ体３ＲＳと対向する。また、コルゲーションローラ体４ＲＳは、挟持部４１が対向する駆動ローラ体３ＲＳより外側にコルゲーション付与部４２が設けられ、コルゲーション付与部４２の外周面は駆動ローラ体３ＲＳの外周面と対向せず、駆動ローラ体３ＲＳの側方で、駆動ローラ体３ＲＳの外周面より駆動ローラ体３ＲＳの内周方向に突出する。
【００６３】
以上の構成により、従動ローラ体４ＬＣ、４ＲＣ及びコルゲーションローラ体４ＬＳ、４ＲＳの挟持部４１と、駆動ローラ体３ＬＳ、３ＬＣ、３ＲＣ、３ＬＣが対向する部位により形成される搬送面に対し、コルゲーションローラ体４ＬＳ、４ＲＳのコルゲーション付与部４２が駆動ローラ３側に突出する。
【００６４】
ここで、コルゲーションローラ４を備えた搬送ローラ１０と、画像形成部２の間隔は、画像形成処理の対象となる用紙Ｐの中で、搬送方向Ｆに沿った長さが一番短い最小の用紙Ｐの長さより短く設定される。これにより、用紙Ｐの先端が画像形成部２に達したときに、用紙Ｐの後端が駆動ローラ３とコルゲーションローラ４との間に挟持された状態が保持されるように構成される。
【００６５】
なお、用紙搬送装置１Ａにおいて、搬送路１７に複数組の搬送ローラ１０を備える構成では、コルゲーションローラ４が設けられた搬送ローラ１０より上流側の搬送ローラ１０は、上述した駆動ローラと、コルゲーション付与部を有しない従動ローラで構成される。
【００６６】
＜第１の実施の形態の用紙搬送装置の動作例＞
次に、各図を参照して、画像形成装置１００に組み込まれた用紙搬送装置１Ａの動作について説明する。図３に示す画像形成装置１００では、用紙トレイ５０に収容された用紙Ｐが分離繰り出し機構５１で繰り出され、用紙搬送部１１を構成する用紙搬送装置１Ａで搬送される。
【００６７】
用紙搬送装置１Ａでは、駆動ローラ３とコルゲーションローラ４に挟持されて搬送される用紙Ｐは、コルゲーションローラ体４ＬＳ、４ＲＳのコルゲーション付与部４２により、搬送方向Ｆに対する左右両側が曲げられて、搬送方向Ｆに沿った曲げ部Ｐｍが形成される。用紙Ｐは、搬送方向Ｆに対する左右両側に、搬送方向Ｆに沿った曲げ部Ｐｍが形成されることで、搬送方向Ｆに対して交する方向に湾曲してコルゲーションが付与される。
【００６８】
これにより、画像形成部２に搬送される用紙Ｐは、搬送方向Ｆに沿った湾曲が修正されると共に、用紙Ｐの搬送方向Ｆに沿った剛性が向上する。画像形成部２では、搬送方向Ｆに沿った湾曲が修正されると共に、搬送方向Ｆに沿った剛性を向上させた用紙Ｐが給紙されることで、給送不良及び給送不良に起因する画像形成不良が低減される。また、両面印刷による裏面通紙時も再度同様の効果が得られるため、裏面通紙時の給送不良も低減できる。
【００６９】
また、用紙Ｐの先端が画像形成部２に達したときに、用紙Ｐの後端が駆動ローラ３とコルゲーションローラ４との間に挟持された状態が保持される。これにより、用紙Ｐにはコルゲーションが付与された状態が保持され、坪量の小さい用紙Ｐであっても、搬送方向Ｆに沿った湾曲を修正できると共に、搬送方向Ｆに沿った剛性が向上させることができる。
【００７０】
ここで、用紙Ｐに形成される曲げ部Ｐｍの形状は、コルゲーションローラ体４ＬＳ、４ＲＳにおけるコルゲーション付与部４２の突出高さと、コルゲーション付与部４２と駆動ローラ体３ＬＳ、３ＲＳとの軸方向の隙間により設定される。
【００７１】
用紙Ｐに形成される曲げ部Ｐｍは、用紙Ｐの搬送方向Ｆに沿った湾曲を修正することができると共に、用紙Ｐの搬送方向に沿った剛性を向上させることができる程度に、用紙Ｐを搬送方向Ｆに対して交する方向に湾曲させることができる形状とする必要がある。一方で、曲げ部Ｐｍは、この曲げ部Ｐｍが折り目として残らずに、用紙Ｐの搬送方向Ｆに対して交する方向の湾曲が復元できるような形状とする必要がある。
【００７２】
そこで、コルゲーションローラ体４ＬＳ、４ＲＳにおけるコルゲーション付与部４２の突出高さと、コルゲーション付与部４２と駆動ローラ体３ＬＳ、３ＲＳとの軸方向の隙間が、上述した条件を満たす値となるような構成とする。
【００７３】
＜第２の実施の形態の用紙搬送装置の構成例＞
図５は、第２の実施の形態の用紙搬送装置の一例を示す側面図、図６は、第２の実施の形態の用紙搬送装置の一例を示す正面図であり、次に、用紙搬送装置１の第２の実施の形態を示す用紙搬送装置１Ｂの詳細について、各図を参照して説明する。
【００７４】
用紙搬送装置１Ｂは、上述した画像形成装置１００に組み込まれ、画像形成部２の上流側に対のローラで構成される搬送ローラ１０を備える。画像形成部２の上流側で一番近くに配置される搬送ローラ１０は、回転駆動される駆動ローラ３と、駆動ローラ３と対向して離接可能に設けられ、駆動ローラ３で搬送される用紙Ｐに従動して回転する従動ローラとして、コルゲーションローラ４を備える。
【００７５】
駆動ローラ３は、本例では、４個の駆動ローラ体３ＬＳ、３ＬＣ、３ＲＣ、３ＲＳが、用紙Ｐの搬送方向Ｆに直交する軸３０に取り付けられ、同軸上に配置される。軸３０は、図示しないギアやベルト等の駆動力伝達手段により、モータ等の駆動手段から駆動力が伝達され、軸３０に駆動力が伝達されることで、駆動ローラ体３ＬＳ、３ＬＣ、３ＲＣ、３ＲＳが回転駆動される。
【００７６】
コルゲーションローラ４は、本例では、２個の従動ローラ体４ＬＣ、４ＲＣと、２個のコルゲーションローラ体４ＬＳ、４ＲＳを備える。コルゲーションローラ４は、従動ローラ体４ＬＣ、４ＲＣが、用紙Ｐの搬送方向Ｆに直交する軸４０ａに取り付けられる。また、コルゲーションローラ４は、コルゲーションローラ体４ＬＳ、４ＲＳが、用紙Ｐの搬送方向Ｆに直交し、それぞれ軸４０ａと独立した軸４０ｂに取り付けられる。
【００７７】
コルゲーションローラ４は、軸４０ａ、４０ｂには駆動力は伝達さず、駆動ローラ３で搬送される用紙Ｐに従動して、従動ローラ体４ＬＣ、４ＲＣ及びコルゲーションローラ体４ＬＳ、４ＲＳが回転する。
【００７８】
コルゲーションローラ４は、コルゲーションローラ体４ＬＳ、４ＲＳの軸４０ｂが支持機構を構成する支持部材４３Ｂに支持される。支持部材４３Ｂは、軸４４Ｂを回転支点として回転し、コルゲーションローラ４のコルゲーションローラ体４ＬＳ、４ＲＳを、従動ローラ体４ＬＣ、４ＲＣと独立して駆動ローラ３に対して離接可能に支持する。
【００７９】
用紙搬送装置１Ｂは、コルゲーションローラ４のコルゲーションローラ体４ＬＳ、４ＲＳを退避させる退避駆動部４５Ｂを備える。退避駆動部４５Ｂは支持機構を構成し、手動または駆動手段により支持部材４３Ｂを駆動して、コルゲーションローラ４のコルゲーションローラ体４ＬＳ、４ＲＳを駆動ローラ３に対して離接する方向に移動させる。
【００８０】
退避駆動部４５Ｂは、本例ではソレノイド等で構成され、コルゲーションローラ４のコルゲーションローラ体４ＬＳ、４ＲＳが駆動ローラ３に対して離接する方向に、支持部材４３Ｂを正逆両方向に回転駆動する。
【００８１】
コルゲーションローラ体４ＬＳは、挟持部４１が駆動ローラ体３ＬＳと対向し、駆動ローラ体３ＬＳより外側にコルゲーション付与部４２が設けられる。コルゲーション付与部４２の外周面は駆動ローラ体３ＬＳの外周面と対向せず、駆動ローラ体３ＬＳの側方で、駆動ローラ体３ＬＳの外周面より駆動ローラ体３ＬＳの内周方向に突出する。
【００８２】
コルゲーションローラ体４ＲＳは、コルゲーションローラ体４ＬＳと同等の構成で、挟持部４１が駆動ローラ体３ＲＳと対向し、駆動ローラ体３ＲＳより外側にコルゲーション付与部４２が設けられる。コルゲーション付与部４２の外周面は駆動ローラ体３ＲＳの外周面と対向せず、駆動ローラ体３ＲＳの側方で、駆動ローラ体３ＲＳの外周面より駆動ローラ体３ＲＳの内周方向に突出する。
【００８３】
図７は、第２の実施の形態の用紙搬送装置の制御系の一例を示す機能ブロック図である。用紙搬送装置１Ｂは、駆動ローラ３を駆動するモータ等で構成される搬送駆動部３Ｍと、コルゲーションローラ４のコルゲーションローラ体４ＬＳ、４ＲＳを駆動ローラ３に対して離接する方向に移動させる上述した退避駆動部４５Ｂを備える。
【００８４】
また、用紙搬送装置１Ｂは、用紙Ｐの坪量を設定する情報、例えば、紙種等が選択される操作部Ｓ１と、搬送駆動部３Ｍを制御して用紙Ｐの搬送を行うと共に、操作部Ｓ１で設定された用紙の坪量等に応じて退避駆動部４５Ｂを制御する制御部Ｓ２を備える。
【００８５】
なお、用紙搬送装置１Ｂは、上述した画像形成装置１００に組み込まれる構成では、操作部Ｓ１及び制御部Ｓ２は、画像形成装置１００の操作部及び制御部で構成される。また、搬送駆動部３Ｍは、画像形成装置１００の用紙搬送部１１で駆動ローラ等を駆動するモータ等で構成される。
【００８６】
制御部Ｓ２では、用紙Ｐの坪量が低い場合は、コルゲーションローラ４のコルゲーションローラ体４ＬＳ、４ＲＳを駆動ローラ３に対して所定の位置まで接近する方向に移動させるように、退避駆動部４５Ｂが制御される。
【００８７】
また、制御部Ｓ２では、用紙の坪量が高い場合は、コルゲーションローラ４のコルゲーションローラ体４ＬＳ、４ＲＳを駆動ローラ３に対して所定の位置まで離れる方向に移動させるように、退避駆動部４５Ｂが制御される。
【００８８】
本例では、用紙Ｐの坪量が５０ｇ／ｍ２未満の場合を低坪量とし、用紙Ｐの坪量が所定の低坪量の場合は、コルゲーションローラ体４ＬＳ、４ＲＳを従動ローラ体４ＬＣ、４ＲＣと同軸上に位置させることで、コルゲーション付与部４２を突出させる。
【００８９】
これに対し、用紙Ｐの坪量が５０ｇ／ｍ２以上の場合を標準坪量とし、用紙Ｐの坪量が所定の標準坪量の場合は、コルゲーションローラ体４ＬＳ、４ＲＳを退避させる。
【００９０】
＜第２の形態の用紙搬送装置の動作例＞
図８は、第２の実施の形態の用紙搬送装置の動作の一例を示すフローチャートで、次に、各図を参照して、画像形成装置１００に組み込まれた用紙搬送装置１Ｂの動作について説明する。
【００９１】
まず、図８のステップＳＡ１で、用紙Ｐの坪量が設定される。用紙Ｐの坪量は、用紙トレイ５０に収容した用紙Ｐに合わせて、操作部Ｓ１で用紙Ｐの種別、用紙Ｐの種別と坪量を選択することで設定される。
【００９２】
次に、図８のステップＳＡ２で、制御部Ｓ２は、コルゲーションローラ４を退避させるか否かを判断する。例えば、制御部Ｓ２では、前回の画像形成時等に設定された用紙Ｐの坪量が、上述した所定の低坪量であるか標準坪量であるか記憶され、坪量情報として今回設定された用紙Ｐの坪量が、所定の低坪量であるか標準坪量であるかに応じて、コルゲーションローラ４の退避の有無を判断する。
【００９３】
制御部Ｓ２は、前回の画像形成時等に設定された用紙Ｐの坪量が低坪量で、今回設定された用紙Ｐの坪量が低坪量であると、コルゲーションローラ体４ＬＳ、４ＲＳのコルゲーション付与部４２を突出させた状態を保持し、画像形成処理を開始する。また、前回の画像形成時等に設定された用紙Ｐの坪量が標準坪量で、今回設定された用紙Ｐの坪量が標準坪量であると、コルゲーションローラ体４ＬＳ、４ＲＳを退避させた状態を保持し、画像形成処理を開始する。
【００９４】
前回の画像形成時等に設定された用紙Ｐの坪量が標準坪量で、今回設定された用紙Ｐの坪量が低坪量であると、制御部Ｓ２は、図８のステップＳＡ３で、退避駆動部４５Ｂを制御して、コルゲーションローラ体４ＬＳ、４ＲＳが駆動ローラ３に対して接近する方向に支持部材４３Ｂを回転させる。そして、コルゲーションローラ体４ＬＳ、４ＲＳを従動ローラ体４ＬＣ、４ＲＣと同軸上に位置させることで、コルゲーション付与部４２を突出させる。
【００９５】
前回の画像形成時等に設定された用紙Ｐの坪量が低坪量で、今回設定された用紙Ｐの坪量が標準坪量であると、制御部Ｓ２は、退避駆動部４５Ｂを制御して、コルゲーションローラ体４ＬＳ、４ＲＳが駆動ローラ３に対して離れる方向に支持部材４３Ｂを回転させる。そして、コルゲーションローラ体４ＬＳ、４ＲＳを駆動ローラ３から退避させる。
【００９６】
制御部Ｓ２は、図８のステップＳＡ３で、コルゲーションローラ体４ＬＳ，４ＲＳを駆動ローラ３に対して離接する制御を行うと、ステップＳＡ４で、離接動作が正常に行われたか否か判断する。
【００９７】
制御部Ｓ２は、図８のステップＳＡ４で、コルゲーションローラ体４ＬＳ，４ＲＳを退避させる動作またはコルゲーション付与部４２を突出させる動作が正常に行われていないと判断すると、ステップＳＡ５で、操作部Ｓ１の画面表示等により、装置に異常が発生したことを通知する。なお、ステップＳＡ６で、保守担当者等により該当する異常の修理が行われ、装置に異常が発生したことを示す異常信号がリセットされると、用紙Ｐの坪量設定に戻る。
【００９８】
制御部Ｓ２は、図８のステップＳＡ４で、コルゲーションローラ体４ＬＳ，４ＲＳを退避させる動作またはコルゲーション付与部４２を突出させる動作が正常に行われたと判断すると、画像形成処理を開始する。
【００９９】
設定された用紙Ｐの坪量が低坪量であると、コルゲーションローラ体４ＬＳ、４ＲＳを従動ローラ体４ＬＣ、４ＲＣと同軸上に位置させることで、コルゲーション付与部４２を突出させている。
【０１００】
画像形成処理では、駆動ローラ３とコルゲーションローラ４に挟持されて搬送される用紙Ｐは、コルゲーションローラ体４ＬＳ、４ＲＳのコルゲーション付与部４２により、搬送方向Ｆに対する左右両側が曲げられて、搬送方向Ｆに沿った曲げ部Ｐｍが形成される。用紙Ｐは、搬送方向Ｆに対する左右両側に、搬送方向Ｆに沿った曲げ部Ｐｍが形成されることで、搬送方向Ｆに対して交する方向に湾曲してコルゲーションが付与される。
【０１０１】
これにより、用紙Ｐが低坪量であると、コルゲーションが付与されることで、画像形成部２に搬送される用紙Ｐは、搬送方向Ｆに沿った湾曲が修正されると共に、用紙Ｐの搬送方向Ｆに沿った剛性が向上する。画像形成部２では、搬送方向Ｆに沿った湾曲が修正されると共に、搬送方向Ｆに沿った剛性を向上させた用紙Ｐが給紙されることで、給送不良及び給送不良に起因する画像形成不良が低減される。
【０１０２】
設定された用紙Ｐの坪量が標準坪量であると、コルゲーションローラ体４ＬＳ、４ＲＳを退避させることで、本例では、コルゲーション付与部４２が用紙Ｐと接触しない。
【０１０３】
画像形成処理では、用紙Ｐは駆動ローラ３と従動ローラ体４ＬＣ、４ＲＣに挟持されて搬送され、用紙Ｐが標準坪量であると、コルゲーションが付与されない。用紙Ｐが標準坪量であると、コルゲーションを付与しなくても、搬送方向Ｆに沿った湾曲が発生しにくく、かつ、用紙Ｐの搬送方向Ｆに沿った剛性も確保されている。これにより、給送不良及び給送不良に起因する画像形成不良が低減されている。
【０１０４】
更に、設定された用紙Ｐの坪量が標準坪量であると、コルゲーション付与部４２が用紙Ｐと接触しないようにすることで、コルゲーションローラ４により搬送方向に沿ったスジが用紙Ｐに付けられることを防止できる。
【０１０５】
また、コルゲーションローラ体４ＬＳ，４ＲＳを退避させる動作またはコルゲーション付与部４２を突出させる動作が正常に行われていない場合は、上述したエラー処理を行うことで、コルゲーションローラ体４ＬＳ、４ＲＳを退避した状態で、低坪量の用紙Ｐが搬送されることを防ぐ。また、コルゲーション付与部４２が突出した状態で、標準坪量の用紙Ｐが搬送されることを防ぐ。これにより、給送不良や用紙Ｐに汚れが付着することを防ぐことができる。
【０１０６】
なお、第２の実施の形態では、用紙Ｐの坪量が低坪量と標準坪量の場合でコルゲーションローラ体４ＬＳ、４ＲＳの退避の有無を切り換えることとしたが、坪量の設定を２種類以上とし、これに合わせてコルゲーション付与部４２の突出量を変更可能としても良い。また、コルゲーションローラ体４ＬＳ、４ＲＳの退避及び復帰を手動で行えるようにしても良い。
【０１０７】
＜第３の実施の形態の用紙搬送装置の構成例＞
図９は、第３の実施の形態の用紙搬送装置の一例を示す側面図、図１０は、第３の実施の形態の用紙搬送装置の一例を示す正面図であり、次に、用紙搬送装置１の第３の実施の形態を示す用紙搬送装置１Ｃの詳細について、各図を参照して説明する。
【０１０８】
用紙搬送装置１Ｃは、上述した画像形成装置１００に組み込まれ、画像形成部２の上流側に対のローラで構成される搬送ローラ１０を備える。画像形成部２の上流側で一番近くに配置される搬送ローラ１０は、回転駆動される駆動ローラ３と、駆動ローラ３と対向して離接可能に設けられ、駆動ローラ３で搬送される用紙Ｐに従動して回転する従動ローラとして、コルゲーションローラ４を備える。
【０１０９】
駆動ローラ３は、本例では、４個の駆動ローラ体３ＬＳ、３ＬＣ、３ＲＣ、３ＲＳが用紙Ｐの搬送方向Ｆに直交する軸３０に取り付けられ、同軸上に配置される。軸３０は、図示しないギアやベルト等の駆動力伝達手段により、モータ等の駆動手段から駆動力が伝達され、軸３０に駆動力が伝達されることで、駆動ローラ体３ＬＳ、３ＬＣ、３ＲＣ、３ＲＳが回転駆動される。
【０１１０】
コルゲーションローラ４は、本例では、２個の従動ローラ体４ＬＣ、４ＲＣと、２個のコルゲーションローラ体４ＬＳ、４ＲＳを備える。コルゲーションローラ４は、従動ローラ体４ＬＣ、４ＲＣが、用紙Ｐの搬送方向Ｆに直交する軸４０ａに取り付けられる。また、コルゲーションローラ４は、コルゲーションローラ体４ＬＳ、４ＲＳが、用紙Ｐの搬送方向Ｆに直交し、それぞれ軸４０ａと独立した軸４０ｂに取り付けられる。
【０１１１】
コルゲーションローラ４は、軸４０ａ、４０ｂには駆動力は伝達さず、駆動ローラ３で搬送される用紙Ｐに従動して、従動ローラ体４ＬＣ、４ＲＣ及びコルゲーションローラ体４ＬＳ、４ＲＳが回転する。
【０１１２】
コルゲーションローラ４は、コルゲーションローラ体４ＬＳ、４ＲＳの軸４０ｂが押圧支持機構を構成する支持部材４３Ｃに支持される。支持部材４３Ｃは、軸４４Ｃを回転支点として回転し、コルゲーションローラ４のコルゲーションローラ体４ＬＳ、４ＲＳを、従動ローラ体４ＬＣ、４ＲＣと独立して駆動ローラ３に対して離接可能に支持する。
【０１１３】
用紙搬送装置１Ｃは、コルゲーションローラ４のコルゲーションローラ体４ＬＳ、４ＲＳを駆動ローラ３方向に付勢するバネ４６Ｃと、バネ４６Ｃによる荷重を調整する押圧力調整駆動部４５Ｃを備える。押圧支持機構を構成するバネ４６Ｃはコイルバネで構成され、一端が支持部材４３Ｃに取り付けられ、他端が押圧力調整駆動部４５Ｃを構成するカム４７Ｃに取り付けられる。
【０１１４】
押圧力調整駆動部４５Ｃは、手動または駆動手段によりカム４７Ｃを駆動して、カム４７Ｃを回転させることで、バネ４６Ｃによる引張力を切り換える。バネ４６Ｃは、コルゲーションローラ４のコルゲーションローラ体４ＬＳ、４ＲＳを駆動ローラ３方向に付勢しており、バネ４６Ｃによる引張力を切り換えることで、コルゲーションローラ体４ＬＳ、４ＲＳによる押圧力が切り換えられる。
【０１１５】
押圧力調整駆動部４５Ｃは、本例ではモータ及びモータの回転量等を検出するロータリエンコーダ等で構成され、バネ４６Ｃによる引張力の強弱が切り換えられる方向に、カム４７Ｃを正逆両方向に回転駆動する。また、カム４７Ｃの回転動作に応じた検出信号を出力する。
【０１１６】
コルゲーションローラ体４ＬＳは、挟持部４１が駆動ローラ体３ＬＳと対向し、駆動ローラ体３ＬＳより外側にコルゲーション付与部４２が設けられる。コルゲーション付与部４２の外周面は駆動ローラ体３ＬＳの外周面と対向せず、駆動ローラ体３ＬＳの側方で、駆動ローラ体３ＬＳの外周面より駆動ローラ体３ＬＳの内周方向に突出する。
【０１１７】
コルゲーションローラ体４ＲＳは、コルゲーションローラ体４ＬＳと同等の構成で、挟持部４１が駆動ローラ体３ＲＳと対向し、駆動ローラ体３ＲＳより外側にコルゲーション付与部４２が設けられる。コルゲーション付与部４２の外周面は駆動ローラ体３ＲＳの外周面と対向せず、駆動ローラ体３ＲＳの側方で、駆動ローラ体３ＲＳの外周面より駆動ローラ体３ＲＳの内周方向に突出する。
【０１１８】
図１１は、第３の実施の形態の用紙搬送装置の制御系の一例を示す機能ブロック図である。用紙搬送装置１Ｃは、駆動ローラ３を駆動するモータ等で構成される搬送駆動部３Ｍと、バネ４６Ｃによる引張力の強弱が切り換えられる方向にカム４７Ｃを回転させる上述した押圧力調整駆動部４５Ｃを備える。
【０１１９】
また、用紙搬送装置１Ｃは、用紙Ｐの坪量を設定する情報、例えば、紙種等が選択される操作部Ｓ１と、搬送駆動部３Ｍを制御して用紙Ｐの搬送を行うと共に、操作部Ｓ１で設定された用紙の坪量等に応じて押圧力調整駆動部４５Ｃを制御する制御部Ｓ２を備える。
【０１２０】
なお、用紙搬送装置１Ｃでも、上述した画像形成装置１００に組み込まれる構成では、操作部Ｓ１及び制御部Ｓ２は、画像形成装置１００の操作部及び制御部で構成される。また、搬送駆動部３Ｍは、画像形成装置１００の用紙搬送部１１で駆動ローラ等を駆動するモータ等で構成される。
【０１２１】
制御部Ｓ２では、用紙の坪量が低い場合は、コルゲーションローラ４による用紙Ｐの押圧力が高くなるように設定され、バネ４６Ｃによる引張力が強くなる方向にカム４７Ｃが回転するように、押圧力調整駆動部４５Ｃが制御される。
【０１２２】
また、制御部Ｓ２では、用紙の坪量が高い場合は、コルゲーションローラ４による用紙Ｐの押圧力が低くなるように設定され、バネ４６Ｃによる引張力が弱くなる方向にカム４７Ｃが回転するように、押圧力調整駆動部４５Ｃが制御される。
【０１２３】
＜第３の形態の用紙搬送装置の動作例＞
図１２は、第３の実施の形態の用紙搬送装置の動作の一例を示すフローチャートで、次に、各図を参照して、画像形成装置１００に組み込まれた用紙搬送装置１Ｃの動作について説明する。
【０１２４】
まず、図１２のステップＳＢ１で、用紙Ｐの坪量が設定される。用紙Ｐの坪量は、用紙トレイ５０に収容した用紙Ｐに合わせて、操作部Ｓ１で用紙Ｐの種別、用紙Ｐの種別と坪量を選択することで設定される。
【０１２５】
次に、図１２のステップＳＢ２で、制御部Ｓ２は、コルゲーションローラ４による用紙Ｐの押圧力を変更するか否かを判断する。例えば、制御部Ｓ２では、前回の画像形成時等に設定された用紙Ｐの坪量が記憶され、坪量情報として今回設定された用紙Ｐの坪量が、前回設定された坪量と同じか異なるかに応じて、押圧力の変更の有無を判断する。
【０１２６】
制御部Ｓ２は、前回の画像形成時等に設定された用紙Ｐの坪量と、今回設定された用紙Ｐの坪量が同じであると、押圧力の変更は行わず、画像形成処理を開始する。これに対し、制御部Ｓ２は、前回の画像形成時等に設定された用紙Ｐの坪量と、今回設定された用紙Ｐの坪量が異なると、図１２のステップＳＢ３で、坪量情報に応じて押圧力を変更する。
【０１２７】
今回設定された用紙Ｐの坪量が予め決められた低坪量であると、制御部Ｓ２は、押圧力調整駆動部４５Ｃを制御して、バネ４６Ｃによる引張力が強くなる方向にカム４７Ｃが回転させ、コルゲーションローラ体４ＬＳ，４ＲＳによる用紙Ｐの押圧力を坪量情報に応じて高くする。
【０１２８】
今回設定された用紙Ｐの坪量が予め決められた高坪量であると、制御部Ｓ２は、押圧力調整駆動部４５Ｃを制御して、バネ４６Ｃによる引張力が弱くなる方向にカム４７Ｃが回転させ、コルゲーションローラ体４ＬＳ，４ＲＳによる用紙Ｐの押圧力を坪量情報に応じて弱くする。
【０１２９】
制御部Ｓ２は、図１２のステップＳＢ３で、押圧力を変更する制御を行うと、ステップＳＢ４で、押圧力の変更が正常に行われたか否か判断する。本例では、制御部Ｓ２は、押圧力調整駆動部４５Ｃに設けた図示しないロータリエンコーダから出力される検出信号に基づき、予め設定された坪量情報とカム４７Ｃの回転量の関係から、カム４７Ｃが制御に応じた所定量回転したか否かを判断する。
【０１３０】
制御部Ｓ２は、図１２のステップＳＢ４で、押圧力の変更が正常に行われていないと判断すると、ステップＳＢ５で、操作部Ｓ１の画面表示等により、装置に異常が発生したことを通知する。なお、ステップＳＢ６で、保守担当者等により該当する異常の修理が行われ、装置に異常が発生したことを示す異常信号がリセットされると、用紙Ｐの坪量設定に戻る。
【０１３１】
制御部Ｓ２は、図１２のステップＳＢ４で、押圧力の変更が正常に行われたと判断すると、画像形成処理を開始する。
【０１３２】
画像形成処理では、駆動ローラ３とコルゲーションローラ４に挟持されて搬送される用紙Ｐは、コルゲーションローラ体４ＬＳ、４ＲＳのコルゲーション付与部４２により、搬送方向Ｆに対する左右両側が曲げられて、搬送方向Ｆに沿った曲げ部Ｐｍが形成される。用紙Ｐは、搬送方向Ｆに対する左右両側に、搬送方向Ｆに沿った曲げ部Ｐｍが形成されることで、搬送方向Ｆに対して交する方向に湾曲してコルゲーションが付与される。
【０１３３】
設定された用紙Ｐの坪量が低坪量であると、バネ４６Ｃによる引張力を強くすることで、コルゲーションローラ体４ＬＳ，４ＲＳによる用紙Ｐの押圧力が坪量情報に応じて高くなっている。低坪量の用紙Ｐでは、コルゲーションローラ体４ＬＳ，４ＲＳによる押圧力を高くすることで、駆動ローラ３とコルゲーションローラ４に挟持されて用紙Ｐが搬送される際に、コルゲーション付与部４２の突出量が高くなり、コルゲーション付与部４２による押圧力が高められる。
【０１３４】
これにより、用紙Ｐが低坪量であると、確実にコルゲーションが付与されることで、画像形成部２に搬送される用紙Ｐは、搬送方向Ｆに沿った湾曲が修正されると共に、用紙Ｐの搬送方向Ｆに沿った剛性が向上する。画像形成部２では、搬送方向Ｆに沿った湾曲が修正されると共に、搬送方向Ｆに沿った剛性を向上させた用紙Ｐが給紙されることで、給送不良及び給送不良に起因する画像形成不良が低減される。
【０１３５】
設定された用紙Ｐの坪量が高坪量であると、バネ４６Ｃによる引張力を弱くすることで、コルゲーションローラ体４ＬＳ，４ＲＳによる用紙Ｐの押圧力が坪量情報に応じて弱くなっている。高坪量の用紙Ｐでは、コルゲーションローラ体４ＬＳ，４ＲＳによる押圧力を弱くすることで、駆動ローラ３とコルゲーションローラ４に挟持されて用紙Ｐが搬送される際に、コルゲーション付与部４２の突出量が低くなり、コルゲーション付与部４２による押圧力が弱められる。
【０１３６】
用紙Ｐが高坪量であると、弱くコルゲーションを付与する、あるいは、コルゲーションを付与しなくても、搬送方向Ｆに沿った湾曲が発生しにくく、かつ、用紙Ｐの搬送方向Ｆに沿った剛性も確保されている。これにより、給送不良及び給送不良に起因する画像形成不良が低減されている。
【０１３７】
そこで、設定された用紙Ｐの坪量が高坪量であると、コルゲーション付与部４２による押圧力を弱くすることで、コルゲーションローラ４により搬送方向に沿ったスジが用紙Ｐに付けられることを防止できる。
【０１３８】
また、押圧力を調整する動作が正常に行われていない場合は、上述したエラー処理を行うことで、押圧力が弱い状態で、低坪量の用紙Ｐが搬送されることを防ぐ。また、押圧力が高い状態で、標準坪量の用紙Ｐが搬送されることを防ぐ。これにより、給送不良や用紙Ｐに汚れが付着することを防ぐことができる。
【０１３９】
＜第４の実施の形態の用紙搬送装置の構成例＞
図１３は、第４の実施の形態の用紙搬送装置の一例を示す正面図であり、次に、用紙搬送装置１の第４の実施の形態を示す用紙搬送装置１Ｄの詳細について、各図を参照して説明する。
【０１４０】
用紙搬送装置１Ｄは、上述した画像形成装置１００に組み込まれ、画像形成部２の上流側に対のローラで構成される搬送ローラ１０を備える。画像形成部２の上流側で一番近くに配置される搬送ローラ１０は、回転駆動される駆動ローラ３と、駆動ローラ３と対向して離接可能に設けられ、駆動ローラ３で搬送される用紙Ｐに従動して回転する従動ローラとして、コルゲーションローラ４を備える。
【０１４１】
駆動ローラ３は、本例では、４個の駆動ローラ体３ＬＳ、３ＬＣ、３ＲＣ、３ＲＳが用紙Ｐの搬送方向Ｆに直交する軸３０に取り付けられ、同軸上に配置される。軸３０は、図示しないギアやベルト等の駆動力伝達手段により、モータ等の駆動手段から駆動力が伝達され、軸３０に駆動力が伝達されることで、駆動ローラ体３ＬＳ、３ＬＣ、３ＲＣ、３ＲＳが回転駆動される。
【０１４２】
コルゲーションローラ４は、本例では、２個の従動ローラ体４ＬＣ、４ＲＣと、２個のコルゲーションローラ体４ＬＳ、４ＲＳを備える。コルゲーションローラ４は、従動ローラ体４ＬＣ、４ＲＣと、コルゲーションローラ体４ＬＳ、４ＲＳが、用紙Ｐの搬送方向Ｆに直交する軸４０ｃに取り付けられ、同軸上に配置される。軸４０ｃには駆動力は伝達さず、駆動ローラ３で搬送される用紙Ｐに従動して、従動ローラ体４ＬＣ、４ＲＣ及びコルゲーションローラ体４ＬＳ、４ＲＳが回転する。
【０１４３】
コルゲーションローラ４は、従動ローラ体４ＬＣが、用紙Ｐの幅方向において一方の内側に位置する駆動ローラ体３ＬＣと対向して配置され、従動ローラ体４ＲＣが、用紙Ｐの幅方向において他方の内側に位置する駆動ローラ体３ＲＣと対向して配置される。
【０１４４】
コルゲーションローラ４は、コルゲーションローラ体４ＬＳが、軸４０ｃの軸方向に沿って移動可能で、かつ、用紙Ｐの幅方向において一方の外側に位置する駆動ローラ体３ＬＳと対向して配置される。また、コルゲーションローラ体４ＲＳが、軸４０ｃの軸方向に沿って移動可能で、かつ、用紙Ｐの幅方向において他方の外側に位置する駆動ローラ体３ＲＳと対向して配置される。
【０１４５】
コルゲーションローラ体４ＬＳは、挟持部４１が駆動ローラ体３ＬＳと対向し、駆動ローラ体３ＬＳより外側にコルゲーション付与部４２が設けられる。コルゲーション付与部４２の外周面は駆動ローラ体３ＬＳの外周面と対向せず、駆動ローラ体３ＬＳの側方で、駆動ローラ体３ＬＳの外周面より駆動ローラ体３ＬＳの内周方向に突出する。
【０１４６】
コルゲーションローラ４は、コルゲーション付与部４２が駆動ローラ体３ＬＳに近づく方向にコルゲーションローラ体４ＬＳを付勢するバネ４８Ｄを備える。付勢機構を構成するバネ４８Ｄはコイルバネで構成され、本例では軸４０ｃが挿入される形態で取り付けられる。
【０１４７】
コルゲーションローラ体４ＲＳは、コルゲーションローラ体４ＬＳと同等の構成で、挟持部４１が駆動ローラ体３ＲＳと対向し、駆動ローラ体３ＲＳより外側にコルゲーション付与部４２が設けられる。コルゲーション付与部４２の外周面は駆動ローラ体３ＲＳの外周面と対向せず、駆動ローラ体３ＲＳの側方で、駆動ローラ体３ＲＳの外周面より駆動ローラ体３ＲＳの内周方向に突出する。
【０１４８】
コルゲーションローラ４は、コルゲーション付与部４２が駆動ローラ体３ＲＳに近づく方向にコルゲーションローラ体４ＲＳを付勢するバネ４８Ｄを備える。バネ４８Ｄはコイルバネで構成され、本例では軸４０ｃが挿入される形態で取り付けられる。
【０１４９】
コルゲーションローラ４は、コルゲーションローラ体４ＬＳのコルゲーション付与部４２と駆動ローラ体３ＬＳの、軸４０ｃに沿った方向の間隔ａが、バネ４８Ｄによる押圧力と、用紙Ｐの坪量の関係で調整される。同様に、コルゲーションローラ体４ＲＳのコルゲーション付与部４２と駆動ローラ体３ＲＳの軸方向の間隔ａが、バネ４８Ｄによる押圧力と、用紙Ｐの坪量の関係で調整される。
【０１５０】
コルゲーションローラ４では、用紙Ｐが低坪量であると、間隔ａが狭くなり、用紙Ｐが高坪量であると、間隔ａが広くなるように、バネ４８Ｄによる押圧力が設定される。コルゲーションローラ４では、間隔ａが狭くなると、駆動ローラ３との間に挟持される用紙Ｐは、搬送方向に交する方向の湾曲が大きくなり、強いコルゲーションが付与される。一方、間隔ａが広くなると、用紙Ｐは搬送方向に交する方向の湾曲が小さくなり、弱いコルゲーションが付与される。
【０１５１】
＜第４の形態の用紙搬送装置の動作例＞
次に、各図を参照して、画像形成装置１００に組み込まれた用紙搬送装置１Ｄの動作について説明する。
【０１５２】
画像形成処理では、駆動ローラ３とコルゲーションローラ４に挟持されて搬送される用紙Ｐは、コルゲーションローラ体４ＬＳ、４ＲＳのコルゲーション付与部４２により、搬送方向Ｆに対する左右両側が曲げられて、搬送方向Ｆに沿った曲げ部Ｐｍが形成される。用紙Ｐは、搬送方向Ｆに対する左右両側に、搬送方向Ｆに沿った曲げ部Ｐｍが形成されることで、搬送方向Ｆに対して交する方向に湾曲してコルゲーションが付与される。
【０１５３】
搬送される用紙Ｐの坪量が低坪量であると、コルゲーションローラ体４ＬＳのコルゲーション付与部４２と駆動ローラ体３ＬＳの軸方向の間隔ａは、バネ４８Ｄの押圧力により広がらず、坪量に応じて設定された狭い間隔で保持される。同様に、コルゲーションローラ体４ＲＳのコルゲーション付与部４２と駆動ローラ体３ＲＳの軸方向の間隔ａは、バネ４８Ｄの押圧力により広がらず、坪量に応じて設定された狭い間隔で保持される。
【０１５４】
コルゲーションローラ４では、間隔ａが狭くなると、駆動ローラ３との間に挟持される用紙Ｐは、搬送方向に交する方向の湾曲が大きくなり、強いコルゲーションが付与される。
【０１５５】
これにより、用紙Ｐが低坪量であると、確実にコルゲーションが付与されることで、画像形成部２に搬送される用紙Ｐは、搬送方向Ｆに沿った湾曲が修正されると共に、用紙Ｐの搬送方向Ｆに沿った剛性が向上する。画像形成部２では、搬送方向Ｆに沿った湾曲が修正されると共に、搬送方向Ｆに沿った剛性を向上させた用紙Ｐが給紙されることで、給送不良及び給送不良に起因する画像形成不良が低減される。
【０１５６】
搬送される用紙Ｐの坪量が高坪量であると、コルゲーションローラ体４ＬＳのコルゲーション付与部４２と駆動ローラ体３ＬＳの軸方向の間隔ａは、バネ４８Ｄの押圧力に抗して、坪量に応じて広がる。同様に、コルゲーションローラ体４ＲＳのコルゲーション付与部４２と駆動ローラ体３ＲＳの軸方向の間隔ａは、バネ４８Ｄの押圧力に抗して、坪量に応じて広がる。
【０１５７】
コルゲーションローラ４では、間隔ａが広くなると、駆動ローラ３との間に挟持される用紙Ｐは搬送方向に交する方向の湾曲が小さくなり、弱いコルゲーションが付与される。
【０１５８】
用紙Ｐが高坪量であると、弱くコルゲーションを付与する、あるいは、コルゲーションを付与しなくても、搬送方向Ｆに沿った湾曲が発生しにくく、かつ、用紙Ｐの搬送方向Ｆに沿った剛性も確保されている。これにより、給送不良及び給送不良に起因する画像形成不良が低減されている。
【０１５９】
そこで、搬送される用紙Ｐの坪量が高坪量であると、コルゲーション付与部４２と駆動ローラ体との軸方向の間隔ａが広がるようにして、コルゲーション付与部４２による押圧力を弱くすることで、コルゲーションローラ４により搬送方向に沿ったスジが用紙Ｐに付けられることを防止できる。
【０１６０】
＜第５の実施の形態の用紙搬送装置の構成例＞
図１４は、第５の実施の形態の用紙搬送装置の一例を示す正面図であり、次に、用紙搬送装置１の第５の実施の形態を示す用紙搬送装置１Ｅの詳細について、各図を参照して説明する。
【０１６１】
用紙搬送装置１Ｅは、上述した画像形成装置１００に組み込まれ、画像形成部２の上流側に対のローラで構成される搬送ローラ１０を備える。画像形成部２の上流側で一番近くに配置される搬送ローラ１０は、回転駆動される駆動ローラ３と、駆動ローラ３と対向して離接可能に設けられ、駆動ローラ３で搬送される用紙Ｐに従動して回転する従動ローラとして、コルゲーションローラ４を備える。
【０１６２】
駆動ローラ３は、本例では、６個の駆動ローラ体３ＬＳ、３ＬＭ、３ＬＣ、３ＲＣ、３ＲＭ、３ＲＳを備える。駆動ローラ３は、駆動ローラ体３ＬＳ、３ＬＭ、３ＬＣ、３ＲＣ、３ＲＭ、３ＲＳが用紙Ｐの搬送方向Ｆに直交する軸３０に取り付けられ、同軸上に配置される。軸３０は、図示しないギアやベルト等の駆動力伝達手段により、モータ等の駆動手段から駆動力が伝達され、軸３０に駆動力が伝達されることで、駆動ローラ体３ＬＳ、３ＬＭ、３ＬＣ、３ＲＣ、３ＲＭ、３ＲＳが回転駆動される。
【０１６３】
コルゲーションローラ４は、本例では、２個の従動ローラ体４ＬＣ、４ＲＣと、２個のコルゲーションローラ体４ＬＳ、４ＲＳを備える。コルゲーションローラ４は、従動ローラ体４ＬＣ、４ＲＣが、用紙Ｐの搬送方向Ｆに直交する軸４０ａに取り付けられる。
【０１６４】
また、コルゲーションローラ４は、挟持部４１の外周面からコルゲーション付与部４２が突出するコルゲーションローラ体４ＬＳ、４ＲＳが、用紙Ｐの搬送方向Ｆに直交し、それぞれ軸４０ａと独立した軸４０ｂに取り付けられる。
【０１６５】
コルゲーションローラ４は、軸４０ａ、４０ｂには駆動力は伝達さず、駆動ローラ３で搬送される用紙Ｐに従動して、従動ローラ体４ＬＣ、４ＲＣ及びコルゲーションローラ体４ＬＳ、４ＲＳが回転する。
【０１６６】
コルゲーションローラ４は、コルゲーションローラ体４ＬＳの軸４０ｂが支持機構を構成する第１の支持部材４３ＥＬに支持され、コルゲーションローラ体４ＲＳの軸４０ｂが支持機構を構成する第２の支持部材４３ＥＲに支持される。
【０１６７】
第１の支持部材４３ＥＬと第２の支持部材４３ＥＲは、駆動ローラ３及びコルゲーションローラ４の軸に沿った方向に移動可能に支持され、コルゲーションローラ体４ＬＳとコルゲーションローラ体４ＲＳが、軸方向に沿って移動可能に構成される。
【０１６８】
コルゲーションローラ体４ＬＳとコルゲーションローラ体４ＲＳを軸方向に沿って移動させる構成として、本例では、第１の支持部材４３ＥＬに設けたラックギア４９ＥＬと、第２の支持部材４３ＥＲに設けたラックギア４９ＥＲと、ラックギア４９ＥＬ及びラックギア４９ＥＲと噛み合うピニオンギア４９ＥＰを備える。
【０１６９】
コルゲーションローラ４では、ピニオンギア４９ＥＰを正逆両方向に回転させることで、コルゲーションローラ体４ＬＳとコルゲーションローラ体４ＲＳの間隔が離接する方向に移動する。
【０１７０】
コルゲーションローラ体４ＬＳは、駆動ローラ体３ＬＳと対向する位置から駆動ローラ体３ＬＭと対向する位置まで軸方向に沿って移動し、コルゲーションローラ体４ＲＳは、駆動ローラ体３ＲＳと対向する位置から駆動ローラ体３ＲＭと対向する位置まで軸方向に沿って移動する。
【０１７１】
図１５は、第５の実施の形態の用紙搬送装置の制御系の一例を示す機能ブロック図である。用紙搬送装置１Ｅは、駆動ローラ３を駆動するモータ等で構成される搬送駆動部３Ｍと、コルゲーションローラ体４ＬＳとコルゲーションローラ体４ＲＳを離接する方向に移動させる幅位置調整駆動部４５Ｅを備える。
【０１７２】
幅位置調整駆動部４５Ｅは、本例ではピニオンギア４９ＥＰを駆動するモータ等で構成され、コルゲーションローラ体４ＬＳとコルゲーションローラ体４ＲＳの間隔を離接する方向に、ピニオンギア４９ＥＰを正逆両方向に回転駆動する。
【０１７３】
また、用紙搬送装置１Ｅは、用紙Ｐの幅を設定する情報、例えば、紙種等が選択される操作部Ｓ１と、搬送駆動部３Ｍを制御して用紙Ｐの搬送を行うと共に、操作部Ｓ１で設定された用紙の幅情報等に応じて幅位置調整駆動部４５Ｅを制御する制御部Ｓ２を備える。
【０１７４】
なお、用紙搬送装置１Ｅでも、上述した画像形成装置１００に組み込まれる構成では、操作部Ｓ１及び制御部Ｓ２は、画像形成装置１００の操作部及び制御部で構成される。また、搬送駆動部３Ｍは、画像形成装置１００の用紙搬送部１１で駆動ローラ等を駆動するモータ等で構成される。
【０１７５】
制御部Ｓ２では、用紙Ｐの幅が狭い場合は、コルゲーションローラ体４ＬＳが駆動ローラ体３ＬＭと対向し、コルゲーションローラ体４ＲＳが駆動ローラ体３ＲＭと対抗するように、幅位置調整駆動部４５Ｅが制御される。
【０１７６】
また、制御部Ｓ２では、用紙Ｐの幅が広い場合は、コルゲーションローラ体４ＬＳが駆動ローラ体３ＬＳと対向し、コルゲーションローラ体４ＲＳが駆動ローラ体３ＲＳと対抗するように、幅位置調整駆動部４５Ｅが制御される。
【０１７７】
＜第５の形態の用紙搬送装置の動作例＞
図１６は、第５の実施の形態の用紙搬送装置の動作の一例を示すフローチャートで、次に、各図を参照して、画像形成装置１００に組み込まれた用紙搬送装置１Ｅの動作について説明する。
【０１７８】
まず、図１６のステップＳＣ１で、用紙Ｐの幅が設定される。用紙Ｐの幅は、用紙トレイ５０に収容した用紙Ｐに合わせて、操作部Ｓ１で用紙Ｐの種別等を選択することで設定される。
【０１７９】
次に、図１６のステップＳＣ２で、制御部Ｓ２は、コルゲーションローラ体４ＬＳとコルゲーションローラ体４ＲＳの幅方向の位置を変更するか否かを判断する。例えば、制御部Ｓ２では、前回の画像形成時等に設定された用紙Ｐの幅が記憶され、用紙幅情報として今回設定された用紙Ｐの幅が、前回設定された幅と同じか異なるかに応じて、コルゲーションローラ体４ＬＳ、４ＲＳの幅方向の位置の変更の有無を判断する。
【０１８０】
制御部Ｓ２は、前回の画像形成時等に設定された用紙Ｐの幅と、今回設定された用紙Ｐの幅が同じであると、コルゲーションローラ体４ＬＳ、４ＲＳの幅方向の位置の変更は行わず、画像形成処理を開始する。これに対し、制御部Ｓ２は、前回の画像形成時等に設定された用紙Ｐの幅と、今回設定された用紙Ｐの幅が異なると、図１６のステップＳＢ３で、幅情報に応じてコルゲーションローラ体４ＬＳ、４ＲＳの幅方向の位置を変更する。
【０１８１】
今回設定された用紙Ｐの幅が予め決められた小サイズ未満であると、制御部Ｓ２は、幅位置調整駆動部４５Ｅを制御して、コルゲーションローラ体４ＬＳを内側の駆動ローラ体３ＬＭと対向させる。また、コルゲーションローラ体４ＲＳを内側の駆動ローラ体３ＲＭと対向させる。
【０１８２】
今回設定された用紙Ｐの幅が予め決められた小サイズ以上の大サイズであると、制御部Ｓ２は、幅位置調整駆動部４５Ｅを制御して、コルゲーションローラ体４ＬＳを外側の駆動ローラ体３ＬＳと対向させる。また、コルゲーションローラ体４ＲＳを外側の駆動ローラ体３ＲＳと対向させる。
【０１８３】
制御部Ｓ２は、図１６のステップＳＣ３で、コルゲーションローラ体４ＬＳ、４ＲＳの幅方向の位置を変更する制御を行うと、ステップＳＣ４で、コルゲーションローラ体４ＬＳ、４ＲＳの幅方向の位置の変更が正常に行われたか否か判断する。本例では、制御部Ｓ２は、図示しないセンサから出力される検出信号に基づき、コルゲーションローラ体４ＬＳ、４ＲＳの幅方向の位置を検出する。
【０１８４】
制御部Ｓ２は、図１６のステップＳＣ４で、コルゲーションローラ体４ＬＳ、４ＲＳの幅方向の位置の変更が正常に行われていないと判断すると、ステップＳＣ５で、操作部Ｓ１の画面表示等により、装置に異常が発生したことを通知する。なお、ステップＳＣ６で、保守担当者等により該当する異常の修理が行われ、装置に異常が発生したことを示す異常信号がリセットされると、用紙Ｐの坪量設定に戻る。
【０１８５】
制御部Ｓ２は、図１６のステップＳＣ４で、コルゲーションローラ体４ＬＳ、４ＲＳの幅方向の位置の変更が正常に行われたと判断すると、画像形成処理を開始する。
【０１８６】
画像形成処理では、駆動ローラ３とコルゲーションローラ４に挟持されて搬送される用紙Ｐは、コルゲーションローラ体４ＬＳ、４ＲＳのコルゲーション付与部４２により、搬送方向Ｆに対する左右両側が曲げられて、搬送方向Ｆに沿った曲げ部Ｐｍが形成される。用紙Ｐは、搬送方向Ｆに対する左右両側に、搬送方向Ｆに沿った曲げ部Ｐｍが形成されることで、搬送方向Ｆに対して交する方向に湾曲してコルゲーションが付与される。
【０１８７】
設定された用紙Ｐの幅が所定の小サイズ未満であると、コルゲーションローラ体４ＬＳを内側の駆動ローラ体３ＬＭと対向させると共に、コルゲーションローラ体４ＲＳを内側の駆動ローラ体３ＲＭと対向させている。これにより、幅の狭い用紙Ｐに対し、搬送方向Ｆに対する左右両側に、搬送方向Ｆに沿った曲げ部Ｐｍを形成して、用紙Ｐを搬送方向Ｆに対して交する方向に湾曲させてコルゲーションが付与される。
【０１８８】
設定された用紙Ｐの幅が所定の小サイズ以上の大サイズであると、コルゲーションローラ体４ＬＳを外側の駆動ローラ体３ＬＳと対向させると共に、コルゲーションローラ体４ＲＳを外側の駆動ローラ体３ＲＳと対向させている。これにより、幅の広い用紙Ｐに対し、搬送方向Ｆに対する中央ではなく、左右両側に、搬送方向Ｆに沿った曲げ部Ｐｍを形成して、用紙Ｐを搬送方向Ｆに対して交する方向に湾曲させてコルゲーションが付与される。
【０１８９】
従って、用紙Ｐの幅に合わせて、搬送方向Ｆに対する左右両側に、搬送方向Ｆに沿った曲げ部Ｐｍを形成して、用紙Ｐを搬送方向Ｆに対して交する方向に湾曲させてコルゲーションを付与することができる。
【０１９０】
よって、画像形成部２に搬送される用紙Ｐは、搬送方向Ｆに沿った湾曲が修正されると共に、用紙Ｐの搬送方向Ｆに沿った剛性が向上する。画像形成部２では、搬送方向Ｆに沿った湾曲が修正されると共に、搬送方向Ｆに沿った剛性を向上させた用紙Ｐが給紙されることで、給送不良及び給送不良に起因する画像形成不良が低減される。
【０１９１】
また、コルゲーションローラ体４ＬＳ、４ＲＳの幅方向の位置を調整する動作が正常に行われていない場合は、上述したエラー処理を行うことで、用紙Ｐの幅が狭い場合に、コルゲーションローラ体４ＬＳ、４ＲＳが用紙Ｐに接触せずに、コルゲーションが付与されないことを防ぐ。また、用紙Ｐの幅が広い場合に、コルゲーションローラ体４ＬＳ、４ＲＳが用紙Ｐの中央付近に接触し、折り目が付けられることを防ぐ。これにより、給送不良や用紙Ｐに折り目が付くことによる画像形成不良を防ぐことができる。
【産業上の利用可能性】
【０１９２】
本発明は、用紙にコルゲーションを付与して画像形成部に搬送する用紙搬送装置を備えた画像形成装置に適用される。
【符号の説明】
【０１９３】
１、１Ａ、１Ｂ、１Ｃ、１Ｄ、１Ｅ・・・用紙搬送装置、１０・・・搬送ローラ、１１・・・用紙搬送部、１２・・・排紙部、１３・・・搬送路、１４・・・反転排紙部、１５・・・循環再給紙部、１６・・・搬送路切換部、１７・・・搬送路、１８・・・ガイド部材、２・・・画像形成部、２０・・・感光体、２１・・・帯電部、２２・・・露光装置、２３・・・現像装置、２４・・・転写部、２５・・・クリーニング部、３・・・駆動ローラ、３ＬＳ、３ＬＣ、３ＲＣ、３ＲＳ・・・駆動ローラ体、３０・・・軸、４・・・コルゲーションローラ、４ＬＳ、４ＬＣ、４ＲＣ、４ＲＳ・・・コルゲーションローラ体、４０、４０ａ、４０ｂ、４０ｃ・・・軸、４１・・・挟持部、４２・・・コルゲーション付与部、４３Ｂ、４３Ｃ、４３ＥＬ、４３ＥＲ・・・支持部材、４４Ｂ、４４Ｃ・・・軸、４５Ｂ・・・退避駆動部、４５Ｃ・・・押圧力調整駆動部、４５Ｅ・・・幅位置調整駆動部、４６Ｃ・・・バネ、４７Ｃ・・・カム、４８Ｄ・・・バネ、４９ＥＬ、４９ＥＲ・・・ラックギア、４９ＥＰ・・・ピニオンギア、５・・・給紙部、５０・・・用紙トレイ、５１・・・分離繰り出し機構、６・・・定着部、１００・・・画像形成装置、１００ＤＣ・・・画像形成装置本体、１００ＳＣ・・・画像読取装置、１００ＤＦ・・・自動原稿送り装置
【図１】
2012106837.tif 000003
【図２】
2012106837.tif 000004
【図３】
2012106837.tif 000005
【図４】
2012106837.tif 000006
【図５】
2012106837.tif 000007
【図６】
2012106837.tif 000008
【図７】
2012106837.tif 000009
【図８】
2012106837.tif 000010
【図９】
2012106837.tif 000011
【図１０】
2012106837.tif 000012
【図１１】
2012106837.tif 000013
【図１２】
2012106837.tif 000014
【図１３】
2012106837.tif 000015
【図１４】
2012106837.tif 000016
【図１５】
2012106837.tif 000017
【図１６】
2012106837.tif 000018